(57)【要約】【課題】空気中の塵埃等を遠心分離によって除去するサイクロン式集塵装置に関して、装置の小型化と高い集塵率とを両立した集塵装置を提供することを目的とする。【解決手段】集塵装置１は外円筒２下面に遮蔽部材６を備えており、遮蔽部材６は円盤８を備えた円柱９で構成される。集塵装置１の高さ寸法を小さくすると内円筒４下端と外円筒２下面とが接近するため、分離されて外円筒２下面に落下した塵埃は、内円筒４に吸引される気流によって内円筒４側に引き寄せられる。これに対して、遮蔽部材６を備えているので、落下した塵埃が遮蔽部材６に衝突する等してその移動が妨げられ、塵埃の再飛散を抑制することができる。したがって集塵率を低下させずに内円筒４と外円筒２下面とをより接近させることが可能になるため、装置の小型化と高い集塵率とを両立したサイクロン式集塵装置を提供することができる。【選択図】図２
2010184165.tif 000002
【特許請求の範囲】
【請求項１】
両端面が閉塞した外円筒と、前記外円筒外周の接線方向に接続する吸気口と、前記外円筒内部においてその軸と平行な軸を持ち、前記外円筒上面に接続する内円筒と、前記内円筒上面に接続し前記外円筒外部に通じる排気口とを備えたサイクロン式集塵装置であって、前記外円筒内部においてその下面の近傍に、塵埃が前記内円筒に吸引されることを抑制する遮蔽部材を備えるとともに、前記外円筒は上下に分割可能であり、前記遮蔽部材と前記外円筒との間隙を閉塞するシャッタ機構を備えたことを特徴とする集塵装置。
【請求項２】
外円筒を上下に分離する操作と連動して、蓋板が遮蔽部材と前記外円筒との間隙を閉塞し、分離している前記外円筒を連結する操作と連動して、前記蓋板が分離操作以前の位置に戻ることを特徴とする請求項１に記載の集塵装置。
【請求項３】
遮蔽部材がシャッタ機構を有することを特徴とする請求項１または２に記載の集塵装置。
【請求項４】
遮蔽部材が内円筒の軸と平行な軸を持ち、上面に外縁を備えた多角柱または円柱であることを特徴とする請求項１乃至３のいずれかに記載の集塵装置。
【請求項５】
外縁が円盤であることを特徴とする請求項４に記載の集塵装置。
【請求項６】
蓋板が外縁の下面に沿って備えられた略扇形の平板であることを特徴とする請求項４または５に記載の集塵装置。
【請求項７】
シャッタ機構が、内円筒に支持された棒状の押し込み部材と、前記押し込み部材の下方に位置し、外円筒連結時に前記押し込み部材によって押し込まれるスイッチと、前記スイッチの下方に備えられ、前記スイッチを上方に押し上げるばねと、前記スイッチと蓋板とを連結し、前記スイッチが押し込まれた時は内方へ、押し込まれていない時は外方へ、前記蓋板をスライドさせる可動連結部とを備えていることを特徴とする請求項２乃至６のいずれかに記載の集塵装置。
【請求項８】
多角柱または円柱の高さｈ１と、外円筒下面から前記内円筒までの距離ｈ２との比ｈ１／ｈ２が０．５以下の値であることを特徴とする請求項４乃至７のいずれかに記載の集塵装置。
【請求項９】
遮蔽部材が内円筒の軸と平行な軸を持ち、上面に外縁を備えた円柱であり、前記円柱の外径ｄ１と前記内円筒の内径ｄ２との比ｄ１／ｄ２が０．８〜１．２の範囲の値であることを特徴とする請求項４乃至８のいずれかに記載の集塵装置。
【請求項１０】
分割部分より下方の外円筒外周壁面または前記外円筒底面に取っ手を備えたことを特徴とする請求項１乃至９のいずれかに記載の集塵装置。
【請求項１１】
外円筒内部に堆積した塵埃の高さを検知するセンサーを備え、塵埃の高さが、遮蔽部材と前記外円筒との間隙を閉塞した時の蓋板の高さに至る前に、集塵装置への送風を停止することを特徴とする請求項１乃至１０のいずれかに記載の集塵装置。
【請求項１２】
外円筒内部に粘着性材料を備えたことを特徴とする請求項１乃至１１のいずれかに記載の集塵装置。
【請求項１３】
外円筒内部に殺虫性材料を備えたことを特徴とする請求項１乃至１２のいずれかに記載の集塵装置。
【請求項１４】
外円筒内部に抗菌、防カビ加工を施したことを特徴とする請求項１乃至１３のいずれかに記載の集塵装置。
【請求項１５】
内円筒下端より空気の流れ方向の下流にフィルタを備えたことを特徴とする請求項１乃至１４のいずれかに記載の集塵装置。
【発明の詳細な説明】
【技術分野】
【０００１】
本発明は空気中の塵埃等を遠心分離によって除去するサイクロン式集塵装置に関する。
【背景技術】
【０００２】
住宅の計画換気を行うために、強制的に空気の流れを形成する換気装置を用いて屋外の新鮮な空気を取り込み、屋内に供給する一方、屋内の汚れた空気を屋外に排出する換気システムが利用されている。このような換気システムでは、外気中の塵埃、昆虫等が換気装置や屋内に侵入するのを防ぐために、換気システムの上流側に塵埃等を遠心分離によって除去するサイクロン式集塵装置を備えることが提案されている（例えば特許文献１参照）。またサイクロン式集塵装置は様々な構成が考案されているが、その基本的な構成は広く知られている（例えば非特許文献１参照）。
【特許文献１】特開２０００−１４６２５１号公報
【非特許文献１】井伊谷鋼一編著「集塵装置」日刊工業新聞社、１９６３年９月２８日、１２６−１７３頁
【発明の開示】
【発明が解決しようとする課題】
【０００３】
換気システムの一部としてサイクロン式集塵装置を住宅の天井裏等に設置する場合、装置の高さ寸法が小さいことが望まれる。しかし従来のサイクロン式集塵装置は高さ寸法を小さくすると集塵率が低下するため、装置の小型化と高い集塵率とを両立できないという課題があった。この原因は以下のように考えられる。装置の高さ寸法を小さくすると、塵埃が堆積する部分（集塵室）と装置外へ通じる排気経路（内円筒）とが接近する。すると一度分離されて集塵室に落下した塵埃は、内円筒に吸引される気流の影響を強く受けるため、その一部が内円筒側へ引き寄せられ、再び舞い上がる。その結果、再飛散した塵埃が内円筒に吸引され、集塵率が低下する。
【０００４】
本発明は上記従来の課題を解決するものであり、装置の小型化と高い集塵率とを両立したサイクロン式集塵装置を提供することを目的とする。
【課題を解決するための手段】
【０００５】
上記目的を達成するために、本発明の集塵装置は、両端面が閉塞した外円筒と、前記外円筒外周の接線方向に接続する吸気口と、前記外円筒内部においてその軸と平行な軸を持ち、前記外円筒上面に接続する内円筒と、前記内円筒上面に接続し前記外円筒外部に通じる排気口とを備えたサイクロン式集塵装置であって、前記外円筒内部においてその下面の近傍に、塵埃が前記内円筒に吸引されることを抑制する遮蔽部材を備えるとともに、前記外円筒は上下に分割可能であり、前記遮蔽部材と前記外円筒との間隙を閉塞するシャッタ機構を備えたことを特徴としている。
【０００６】
この構成により、分離された塵埃の気流による再飛散を抑制することができ、装置の小型化と高い集塵率とを両立したサイクロン式集塵装置を提供することができる。
【発明の効果】
【０００７】
本発明によれば、分離された塵埃の気流による再飛散を抑制することができ、装置の小型化と高い集塵率とを両立したサイクロン式集塵装置を提供することができる。
【発明を実施するための最良の形態】
【０００８】
本発明の請求項１に記載の発明は、両端面が閉塞した外円筒と、前記外円筒外周の接線方向に接続する吸気口と、前記外円筒内部においてその軸と平行な軸を持ち、前記外円筒上面に接続する内円筒と、前記内円筒上面に接続し前記外円筒外部に通じる排気口とを備えたサイクロン式集塵装置であって、前記外円筒内部においてその下面の近傍に、塵埃が前記内円筒に吸引されることを抑制する遮蔽部材を備えるとともに、前記外円筒は上下に分割可能であり、前記遮蔽部材と前記外円筒との間隙を閉塞するシャッタ機構を備えたことを特徴とする集塵装置である。
【０００９】
装置の高さ寸法を小さくすると内円筒下端と外円筒下面とが接近するため、分離されて外円筒下面に落下した塵埃は、内円筒に吸引される気流によって内円筒側に引き寄せられる。これに対して外円筒下面の近傍に、塵埃が内円筒に吸引されることを抑制する遮蔽部材を備えることで、落下した塵埃が遮蔽部材に衝突する等してその移動が妨げられ、その結果、塵埃の再飛散を抑制することができる。すなわち集塵率を低下させずに内円筒と外円筒下面とをより接近させることが可能になるため、装置の小型化と高い集塵率とを両立したサイクロン式集塵装置を提供することができる。
【００１０】
また外円筒は上下に分割可能なので、堆積した塵埃ごと外円筒下部を取り外し、容易に塵埃を廃棄することができる。
【００１１】
また外円筒下部を取り外す際に、堆積していた塵埃が舞い上がる、誤ってこぼす、または生きたまま捕捉された昆虫が飛び出す等により室内を汚すおそれがあった。これに対して遮蔽部材と外円筒との間隙を閉塞するシャッタ機構を備えることで、外円筒下部を取り外す際に塵埃が堆積している空間を閉鎖し、塵埃の舞い上がり等を防止することができる。よって塵埃の廃棄作業を、室内を汚さず衛生的に行うことができる。
【００１２】
本発明の請求項２に記載の発明は、外円筒を上下に分離する操作と連動して、蓋板が遮蔽部材と前記外円筒との間隙を閉塞し、分離している前記外円筒を連結する操作と連動して、前記蓋板が分離操作以前の位置に戻ることを特徴とする請求項１に記載の集塵装置である。
【００１３】
シャッタ機構が外円筒下部の脱着操作と連動して開閉することで、別途手動でシャッタ機構を操作する必要がない。したがって塵埃の廃棄作業の際、誤ってシャッタを閉め忘れることがなく、また外円筒下部を再び連結する際も、誤ってシャッタを開け忘れることがない。
【００１４】
本発明の請求項３に記載の発明は、遮蔽部材がシャッタ機構を有することを特徴とする請求項１または２に記載の集塵装置である。
【００１５】
遮蔽部材がシャッタ機構を備えることで、外円筒内部に別途シャッタ機構を備える必要がなく、外円筒内部の空間を広くすることができる。これにより集塵率を向上させることができる。また貯留できる塵埃の量を増加させることができる。
【００１６】
またそれぞれの部品を共有することができるので、部品点数を減らすことができる。
【００１７】
本発明の請求項４に記載の発明は、遮蔽部材が内円筒の軸と平行な軸を持ち、上面に外縁を備えた多角柱または円柱であることを特徴とする請求項１乃至３のいずれかに記載の集塵装置である。
【００１８】
これにより、単純な構造の部材で内円筒に吸引される気流を効果的に遮蔽し、塵埃の再飛散を抑制することができる。したがって、集塵装置の構成をより単純にすることができ、製造等が容易になる。
【００１９】
本発明の請求項５に記載の発明は、外縁が円盤であることを特徴とする請求項４に記載の集塵装置である。
【００２０】
これにより、単純な構造の部材で塵埃の再飛散を抑制することができる。したがって、集塵装置の構成をより単純にすることができ、製造等が容易になる。
【００２１】
本発明の請求項６に記載の発明は、蓋板が外縁の下面に沿って備えられた略扇形の平板であることを特徴とする請求項４または５に記載の集塵装置である。
【００２２】
これにより、遮蔽部材の形状を大きく変えることなく、遮蔽部材にシャッタ機構を備えることができるので、遮蔽部材の作用、効果を妨げない。
【００２３】
また蓋板を外縁の一部となるように構成することで、材料を削減することができる。
【００２４】
本発明の請求項７に記載の発明は、シャッタ機構が、内円筒に支持された棒状の押し込み部材と、前記押し込み部材の下方に位置し、外円筒連結時に前記押し込み部材によって押し込まれるスイッチと、前記スイッチの下方に備えられ、前記スイッチを上方に押し上げるばねと、前記スイッチと蓋板とを連結し、前記スイッチが押し込まれた時は内方へ、押し込まれていない時は外方へ、前記蓋板をスライドさせる可動連結部とを備えていることを特徴とする請求項２乃至６のいずれかに記載の集塵装置である。
【００２５】
これにより、外円筒を上下に分離する操作と連動して、蓋板が遮蔽部材と外円筒との間隙を閉塞し、分離している外円筒を連結する操作と連動して、蓋板が分離操作以前の位置に戻るシャッタ機構を、単純に構成することができる。
【００２６】
また、集塵装置内部の風路の形状を大きく変えることなく、シャッタ機構を備えることができるので、塵埃の遠心分離を妨げない。
【００２７】
また、遮蔽部材の形状を大きく変えることなく、遮蔽部材にシャッタ機構を備えることができるので、遮蔽部材の作用、効果を妨げない。
【００２８】
また、ばね等のシャッタ機構の一部を遮蔽部材の内部に納めることで、外円筒内部の空間を広くすることができる。さらにシャッタ機構と遮蔽部材の部品を共有することができるので、部品点数を減らすことができる。
【００２９】
本発明の請求項８に記載の発明は、多角柱または円柱の高さｈ１と、外円筒下面から前記内円筒までの距離ｈ２との比ｈ１／ｈ２が０．５以下の値であることを特徴とする請求項４乃至７のいずれかに記載の集塵装置である。
【００３０】
ｈ１／ｈ２が０．５より大きい、すなわち遮蔽部材が内円筒により近くなると、内円筒に吸引される気流を遮断する効果が大きくなりすぎ、圧力損失の増大を招く。また遮蔽部材が遠心分離の妨げとなって、集塵率の低下を招くおそれがある。したがってｈ１／ｈ２は０．５以下であることが好ましい。
【００３１】
本発明の請求項９に記載の発明は、遮蔽部材が内円筒の軸と平行な軸を持ち、上面に外縁を備えた円柱であり、前記円柱の外径ｄ１と前記内円筒の内径ｄ２との比ｄ１／ｄ２が０．８〜１．２の範囲の値であることを特徴とする請求項４乃至８のいずれかに記載の集塵装置である。
【００３２】
ｄ１／ｄ２が０．８より小さい、すなわち内円筒内径に比べて円柱外径が小さくなりすぎると、内円筒に吸引される気流を遮断する効果や塵埃の移動を抑制する効果等が小さくなる。逆にｄ１／ｄ２が１．２より大きい、すなわち内円筒内径に比べて円柱外径が大きくなりすぎると、外縁上や円柱上に塵埃が堆積しやすくなる。外縁上や円柱上は内円筒までの距離がより近いため、ここに堆積した塵埃が内円筒に吸引されて、集塵率が低下するおそれがある。したがってｄ１／ｄ２は０．８〜１．２の範囲の値であること、すなわち内円筒内径と円柱外径とが概ね一致することが好ましい。
【００３３】
本発明の請求項１０に記載の発明は、分割部分より下方の外円筒外周壁面または前記外円筒底面に取っ手を備えたことを特徴とする請求項１乃至９のいずれかに記載の集塵装置である。
【００３４】
これにより、塵埃を廃棄する際の外円筒下部の着脱が容易になる。
【００３５】
本発明の請求項１１に記載の発明は、外円筒内部に堆積した塵埃の高さを検知するセンサーを備え、塵埃の高さが、遮蔽部材と前記外円筒との間隙を閉塞した時の蓋板の高さに至る前に、集塵装置への送風を停止することを特徴とする請求項１乃至１０のいずれかに記載の集塵装置である。
【００３６】
これにより、塵埃が過剰に堆積することを防止できる。塵埃が過剰に堆積すると、その一部が気流で舞い上がって再飛散し、集塵率の低下を招くおそれがある。また堆積した塵埃によって、シャッタの開閉動作が妨げられるおそれがある。
【００３７】
本発明の請求項１２に記載の発明は、外円筒内部に粘着性材料を備えたことを特徴とする請求項１乃至１１のいずれかに記載の集塵装置である。
【００３８】
これにより、外円筒に入った細かい塵埃を捕捉し、再飛散を抑制することができる。
【００３９】
本発明の請求項１３に記載の発明は、外円筒内部に殺虫性材料を備えたことを特徴とする請求項１乃至１２のいずれかに記載の集塵装置である。
【００４０】
集塵装置が外気を吸引すると、塵埃とともに小さな虫が取り込まれ、外円筒内部に集められる。その際、虫が生きたままだと自力で内円筒から集塵装置外、例えば室内へと逃げ出すおそれがある。外円筒内部に殺虫性材料を備えることで、外円筒内部に捕らえた虫を殺し、室内等への侵入を防ぐことができる。
【００４１】
本発明の請求項１４に記載の発明は、外円筒内部に抗菌、防カビ加工を施したことを特徴とする請求項１乃至１３のいずれかに記載の集塵装置である。
【００４２】
外円筒内部に塵埃や虫の死骸等が堆積すると、カビ等が発生して不衛生になるおそれがある。外円筒内部に抗菌、防カビ加工を施すことで、カビ等の発生を遅らせ、不衛生になるのを防ぐことができる。
【００４３】
本発明の請求項１５に記載の発明は、内円筒下端より空気の流れ方向の下流にフィルタを備えたことを特徴とする請求項１乃至１４のいずれかに記載の集塵装置である。
【００４４】
これにより、外円筒内部に捕らえられなかった微細な塵埃や生きた虫等を捕集することができ、これらが排気口から排出されて室内等に侵入することを防ぐことができる。
【００４５】
以下、本発明の実施の形態について図面を参照しながら説明する。
【００４６】
（実施の形態１）
図１は本発明の実施の形態１の集塵装置の斜視図であり、図２、３はその断面図である。図２は集塵運転時（シャッタが開いた状態）、図３は塵埃の廃棄作業時（シャッタが閉じた状態）を表している。
【００４７】
実施の形態１の集塵装置の構成を説明する。
【００４８】
集塵装置１は、両端面が閉塞した外円筒２と、外円筒２外周の接線方向に接続する吸気口３と、外円筒２内部においてその軸と平行な軸を持ち、外円筒２上面に接続する内円筒４と、内円筒４上面に接続し外円筒２外部に通じる排気口５と、外円筒２内部の下面に遮蔽部材６と、シャッタ機構７とを備えている。
【００４９】
外円筒２は上下に分割されている。
【００５０】
遮蔽部材６は、内円筒４の軸と平行な軸を持ち、上面に円盤８を備えた円柱９である。
【００５１】
シャッタ機構７は、内円筒４に支持された棒状の押し込み部材１０と、押し込み部材１０の下方に位置するスイッチ１１と、スイッチ１１の下方に備えられたばね１２と、円盤８の下面に沿って備えられた蓋板１３と、スイッチ１１と蓋板１３とを連結する可動連結部１４とを備えている。
【００５２】
スイッチ１１、ばね１２、蓋板１３および可動連結部１４は遮蔽部材６に備えられており、この内、スイッチ１１、ばね１２および可動連結部１４の一部は、円柱９内部に備えられている。
【００５３】
蓋板１３は扇形の平板である。
【００５４】
実施の形態１の集塵装置の動作、作用を説明する。
【００５５】
送風手段（図示せず）によって集塵装置１へ空気が導入されると、外円筒２内で旋回流が生じる。このとき空気とともに旋回する塵埃に遠心力が加わるので、塵埃は外円筒２の外周壁方向へと移動し、最終的に外円筒２下面に落下、堆積する。塵埃が除去された空気は、内円筒４下端から吸引され、排気口５から排出される。
【００５６】
装置の高さ寸法を小さくすると内円筒４下端と外円筒２下面とが接近するため、分離されて外円筒２下面に落下した塵埃は、内円筒４に吸引される気流によって内円筒４側に引き寄せられる。これに対して外円筒２下面に遮蔽部材６を備えることで、落下した塵埃が遮蔽部材６に衝突する等してその移動が妨げられ、その結果、塵埃の再飛散を抑制することができる。
【００５７】
遮蔽部材６を円盤８を備えた円柱９で構成することで、単純な構造で内円筒４に吸引される気流を遮蔽し、塵埃の再飛散を抑制することができる。
【００５８】
遮蔽部材６がシャッタ機構７を備えることで、外円筒２内部に別途シャッタ機構を備える必要がなく、外円筒２内部の空間を広くすることができ、またそれぞれの部品を共有することができる。
【００５９】
蓋板１３を扇形の平板で構成し、円盤８の下面に沿って備えたことで、遮蔽部材６の形状を大きく変えることなく、遮蔽部材６にシャッタ機構７を備えることができる。
【００６０】
塵埃を廃棄する際は、外円筒２下部を取り外す。外円筒２下部が下方に分離すると、押し込み部材１０に押し込まれていたスイッチ１１がばね１２の力によって上方に移動する。このとき蓋板１３は、可動連結部１４によってスイッチ１１の移動と連動し、外方へスライドする。その結果、遮蔽部材６と外円筒２との間隙が閉塞される（図３の状態）。これにより、塵埃が堆積している空間が閉鎖され、塵埃の舞い上がり等を防止することができる。
【００６１】
取り外した外円筒２下部を適当な場所へ持って行き、手動でスイッチ１１を押し込む。すると蓋板１３は、可動連結部１４によってスイッチ１１の移動と連動し、内方へスライドして開口するので、塵埃を廃棄することができる。
【００６２】
塵埃を廃棄した後、再び外円筒２下部を外円筒２上部に連結する。このとき押し込み部材１０によってスイッチ１１は再び押し込まれ、同時に蓋板１３は内方へスライドして、外円筒２内部の上下の空間は連通する（図２の状態）。
【００６３】
実施の形態１の集塵装置の効果を説明する。
【００６４】
まず製造、設置、使用に関する効果を説明する。
【００６５】
遮蔽部材６を備えたことにより、落下した塵埃が遮蔽部材６に衝突する等してその移動が妨げられ、その結果、塵埃の再飛散を抑制することができる。すなわち集塵率を低下させずに内円筒４と外円筒２下面とをより接近させることが可能になるため、装置の小型化と高い集塵率とを両立したサイクロン式集塵装置を提供することができる。
【００６６】
遮蔽部材６を単純な構造にしたので、集塵装置１の構成をより単純にすることができ、製造等が容易になる。
【００６７】
シャッタ機構７は、ばねと幾つかの単純な形状の部材との組合せで構成されており、またシャッタの開閉機構自体も単純なので、製造等が容易である。また、集塵装置１内部の風路の形状を大きく変えていないので、塵埃の遠心分離を妨げない。
【００６８】
また、蓋板１３を扇形の平板で構成し、円盤８の下面に沿って備えたり、ばね１２等のシャッタ機構７の一部を遮蔽部材６の内部に納めたりすることで、遮蔽部材６の形状を大きく変えることなく、遮蔽部材６にシャッタ機構を備えることができ、遮蔽部材６の作用、効果を妨げない。また外円筒２内部の空間を広くすることができ、集塵率を向上させることができるとともに、貯留できる塵埃の量を増加させることができる。さらにシャッタ機構７と遮蔽部材６の部品を共有することができるので、部品点数を減らすことができる。
【００６９】
また、円柱９の高さｈ１と、外円筒２下面から内円筒４までの距離ｈ２との比ｈ１／ｈ２が０．５以下の値とした。ｈ１／ｈ２と集塵率および圧力損失の関係を図４に示す。図４の構成において、円柱９の外径ｄ１と内円筒４の内径ｄ２との比ｄ１／ｄ２は１．０、円盤８の外径ｄ３と円柱９の外径ｄ１との比ｄ３／ｄ１は１．５である。
【００７０】
ｈ１／ｈ２が０．５より大きい、すなわち遮蔽部材６が内円筒４により近くなると、内円筒４に吸引される気流を遮断する効果が大きくなりすぎ、圧力損失の増大を招く。また遮蔽部材が遠心分離の妨げとなって、集塵率の低下を招くと考えられる。したがってｈ１／ｈ２は０．５以下であることが好ましい。
【００７１】
また、ｄ１／ｄ２が０．８〜１．２の範囲の値とした。ｄ１／ｄ２と集塵率および圧力損失の関係を図５に示す。図５の構成において、ｈ１／ｈ２は０．３９である。集塵率はｄ１／ｄ２＝１近傍で極大となった。一方、圧力損失はｄ１／ｄ２に関わらず一定だった。ｄ１／ｄ２が０．８より小さい、すなわち内円筒４内径に比べて円柱９外径が小さくなりすぎると、内円筒４に吸引される気流を遮断する効果や塵埃の移動を抑制する効果等が小さくなる。逆にｄ１／ｄ２が１．２より大きい、すなわち内円筒４内径に比べて円柱９外径が大きくなりすぎても、円盤８上や円柱９上に塵埃が堆積しやすくなる。円盤８上や円柱９上は内円筒４までの距離がより近いため、ここに堆積した塵埃が内円筒４に吸引されて、集塵率が低下するおそれがある。したがってｄ１／ｄ２は０．８〜１．２の範囲の値であること、すなわち内円筒４内径と円柱９外径とが概ね一致することが好ましい。
【００７２】
次に塵埃の廃棄作業に関する効果を説明する。
【００７３】
外円筒２は上下に分割されているので、堆積した塵埃ごと外円筒２下部を取り外し、容易に塵埃を廃棄することができる。
【００７４】
また、外円筒２下部を取り外す際に、堆積していた塵埃が舞い上がる、誤ってこぼす、または生きたまま捕捉された昆虫が飛び出す等により室内を汚すおそれがあった。これに対して遮蔽部材６と外円筒２との間隙を閉塞するシャッタ機構７を備えることで、外円筒２下部を取り外す際に塵埃が堆積している空間を閉鎖し、塵埃の舞い上がり等を防止することができる。よって塵埃の廃棄作業を、室内を汚さず衛生的に行うことができる。
【００７５】
また、シャッタ機構７が外円筒２下部の脱着操作と連動して開閉することで、別途手動でシャッタ機構７を操作する必要がない。したがって塵埃の廃棄作業の際、誤ってシャッタを閉め忘れることがなく、また外円筒２下部を再び連結する際も、誤ってシャッタを開け忘れることがない。
【００７６】
なお実施の形態１では遮蔽部材６を円柱９で構成したが、端面が楕円の略円柱や多角柱でもよい。
【００７７】
なお実施の形態１では円柱９が備える外縁を円盤８で構成したが、略円や多角形の板等でもよい。
【００７８】
なお実施の形態１では蓋板１３を円盤８の下に収納する構成にしたが、蓋板１３が外縁を兼ねる構成にしてもよい。これにより、材料を削減することができる。
【００７９】
また、分割部分より下方の外円筒２外周壁面または外円筒２底面に取っ手を備えてもよい。これにより、塵埃を廃棄する際の外円筒２下部の着脱が容易になる。
【００８０】
また、外円筒２内部に堆積した塵埃の高さを検知するセンサーを備え、塵埃の高さが蓋板１３の高さに至る前に、集塵装置１への送風を停止する制御を行ってもよい。これにより、塵埃が過剰に堆積することを防止できる。塵埃が過剰に堆積すると、その一部が気流で舞い上がって再飛散し、集塵率の低下を招くおそれがある。また堆積した塵埃によって、シャッタの開閉動作が妨げられるおそれがある。
【００８１】
また、外円筒２内部に粘着性材料を備えてもよい。これにより、外円筒２に入った細かい塵埃を捕捉し、再飛散を抑制することができる。
【００８２】
また、外円筒２内部に殺虫性材料を備えてもよい。集塵装置１が外気を吸引すると、塵埃とともに小さな虫が取り込まれ、外円筒２内部に集められる。その際、虫が生きたままだと自力で内円筒４から集塵装置１外、例えば室内へと逃げ出すおそれがある。外円筒２内部に殺虫性材料を備えることで、外円筒２内部に捕らえた虫を殺し、室内等への侵入を防ぐことができる。
【００８３】
また、外円筒２内部に抗菌、防カビ加工を施してもよい。外円筒２内部に塵埃や虫の死骸等が堆積すると、カビ等が発生して不衛生になるおそれがある。外円筒２内部に抗菌、防カビ加工を施すことで、カビ等の発生を遅らせ、不衛生になるのを防ぐことができる。
【００８４】
また、内円筒４下端より空気の流れ方向の下流にフィルタを備えてもよい。これにより、外円筒２内部に捕らえられなかった微細な塵埃や生きた虫等を捕集することができ、これらが排気口５から排出されて室内等に侵入することを防ぐことができる。
【産業上の利用可能性】
【００８５】
本発明の集塵装置は、建物の換気や空調のために屋外の空気を室内に取り入れる際、空気中の塵埃を捕集し、浄化して室内に給気するので有用である。また室内の空気を循環しながら使用するエアコンや空気清浄機にも適用することができる。
【図面の簡単な説明】
【００８６】
【図１】本発明の実施の形態１の集塵装置の斜視図
【図２】同集塵運転時の断面図
【図３】同塵埃の廃棄作業時の断面図
【図４】円柱の高さｈ１／外円筒下面から内円筒までの距離ｈ２と集塵率および圧力損失の関係を示すグラフ
【図５】円柱の外径ｄ１／内円筒の内径ｄ２と集塵率および圧力損失の関係を示すグラフ
【符号の説明】
【００８７】
１    集塵装置
２    外円筒
３    吸気口
４    内円筒
５    排気口
６    遮蔽部材
７    シャッタ機構
８    円盤
９    円柱
１０  押し込み部材
１１  スイッチ
１２  ばね
１３  蓋板
１４  可動連結部
【図１】
2010184165.tif 000003
【図２】
2010184165.tif 000004
【図３】
2010184165.tif 000005
【図４】
2010184165.tif 000006
【図５】
2010184165.tif 000007